(57)【要約】【課題】  電気部品を安全・簡単・確実に着脱することが可能にする。【構成】  陰極蛍光ランプＡ１、Ａ２の端部が挿入可能な溝１１ａ、１１ｂが各々形成されたボディ１０と、ボディ１０に対して溝１１ａ、１１ｂを覆うように取り付け可能なカバー３０ａ，３０ｂと、ボディ１０に設けられており且つ陰極蛍光ランプＡ１、Ａ２のリード端子α１、α２に下方から付勢接触する第１コンタクト２０ａ、２０ｂと、カバー３０ａ，３０ｂに第１コンタクト対向位置に設けられており且つ陰極蛍光ランプＡ１、Ａ２のリード端子α１、α２に上方から付勢接触する第２コンタクト４０ａ，４０ｂとを具備している。【選択図】  図１
2007305305.tif 000002
【特許請求の範囲】
【請求項１】
少なくとも電気部品のリード端子が挿入可能な溝が形成されたボディと、ボディに対して溝を覆うように取り付け可能なカバーと、ボディ又はカバーに設けられており且つ当該電気部品のリード端子に下方又は上方から接触する第１コンタクトと、カバー又はボディに第１コンタクト対向位置に設けられており且つ当該電気部品のリード端子に上方又は下方から当接する当接部材とを具備することを特徴とする電気部品用ソケット。
【請求項２】
請求項１記載の電気部品用ソケットにおいて、当接部材は当該電気部品のリード端子に上方又は下方から接触する第２コンタクトであることを特徴とする電気部品用ソケット。
【請求項３】
請求項２記載の電気部品用ソケットにおいて、第１コンタクトはボディ又はカバーに固定された基端部と、基端部に長さ方向に延設された板状体であり且つ前記電気部品のリード端子に下方又は上方から付勢接触する先端部とを有している一方、第２コンタクトはカバー又はボディに固定された基端部と、基端部に長さ方向に延設された板状体であり且つ前記電気部品のリード端子に上方又は下方から付勢接触する先端部とを有していることを特徴とする電気部品用ソケット。
【請求項４】
請求項１記載の電気部品用ソケットにおいて、カバーは一端側がボディに軸支されて開閉自在になっていることを特徴とする電気部品用ソケット。
【請求項５】
請求項４記載の電気部品用ソケットにおいて、カバーは閉直前位置において第１、第２コンタクトの弾性反発力により開方向に自ら回転するのを抑止する程度の力でボディに係合可能になっていることを特徴とする電気部品用ソケット。
【請求項６】
請求項１記載の電気部品用ソケットにおいて、第１コンタクトはボディ又はカバーに装着可能であり、装着された状態で端部がボディ又はカバーから外に外部端子として出ていることを特徴とする電気部品用ソケット。
【請求項７】
請求項３記載の電気部品用ソケットにおいて、第２コンタクトには第１コンタクトの基端部に対して接触し弾性的に付勢する接触部が設けられていることを特徴とする電気部品用ソケット。
【発明の詳細な説明】
【技術分野】
【０００１】
本発明は陰極蛍光ランプその他のリード端子を有する電気部品を電気接続するのに使用される電気部品用ソケットに関する。
【背景技術】
【０００２】
この種の電気部品用ソケットの一例として、断面視Ｖ字状の電極を有し、電気部品のリード端子を電極の間に挟み込みようになったものがある（例えば、特許文献１等）。
【特許文献１】第３００６４２４号登録実用新案公報
【発明の開示】
【発明が解決しようとする課題】
【０００３】
しかしながら、上記従来例による場合、電極自体の弾性により電気部品のリード端子を挟持していることから、電気部品の取り外しをスムーズに行えず、電気部品の着脱の際にリードを破損させるおそれもある。だからと言って、この問題を解消しようと挟持力を小さくすると、電気部品を確実に取り付けることができなくなる。
【０００４】
本発明は上記した背景の下で創作されたものであって、その目的とするところは、電気部品を安全・簡単・確実に着脱することが可能な電気部品用ソケットを提供することにある。
【課題を解決するための手段】
【０００５】
本発明に係る電気部品用ソケットは、少なくとも電気部品のリード端子が挿入可能な溝が形成されたボディと、ボディに対して溝を覆うように取り付け可能なカバーと、ボディ又はカバーに設けられており且つ当該電気部品のリード端子に上方又は下方から接触する第１コンタクトと、カバー又はボディに第１コンタクト対向位置に設けられており且つ当該電気部品のリード端子に下方又は上方から当接する当接部材とを具備している。
【０００６】
当接部材については、当該電気部品のリード端子に下方又は上方から接触する第２コンタクトとすると良い。
【０００７】
第１コンタクトについて、ボディ又はカバーに固定された基端部と、基端部に長さ方向に延設された板状体であり且つ前記電気部品のリード端子に上方又は下方から付勢接触する先端部とを有するものを使用する一方、第２コンタクトについては、カバー又はカバーに固定された基端部と、基端部に長さ方向に延設された板状体であり且つ前記電気部品のリード端子に下方又は上方から付勢接触する先端部とを有するものを使用することが望ましい。
【０００８】
また、第１コンタクトに関しては、ボディに装着可能であり、装着された状態でその端部がボディから外に外部端子として出るものを使用すると良い。この場合、第２コンタクトには第１コンタクトの基端部に対し接触して弾性的に付勢する接触部を設けるようにすることが望ましい。
【０００９】
カバーに関しては、一端側がボディに軸支されて開閉自在になったものを使用すると良い。この場合、閉直前位置において第１、第２コンタクトの弾性反発力により開方向に自ら回転するのを抑止する程度の力でボディに係合可能にすることが望ましい。
【発明の効果】
【００１０】
本発明の請求項１又は２に係る電気部品用ソケットによる場合、電気部品のリードをボディの溝に挿入した状態で、カバーがボディに取り付けられると、第１コンタクト及び当接部材により電気部品のリード端子が挟持される一方、カバーがボディから取り外されると、第１コンタクト及び当接部材等による電気部品のリード端子の挟持が解除される構成になっている。
【００１１】
このようにカバーがボディから取り外されると、第１コンタクトが当接部材から完全に離れることから、電気部品の取り外しはスムーズに行うことが可能になり、電気部品の着脱の際にリードを破損させるおそれもない。よって、電気部品を安全・簡単・確実に着脱することが可能になり、これに伴って電気部品の接続作業を円滑に行うことが可能になる。
【００１２】
本発明の請求項３に係る電気部品用ソケットによる場合、第１コンタクト及び第２コンタクトにより電気部品のリード端子が弾性的に挟持される構成となっているので、電気部品のリード端子と第１、第２コンタクトとの間の機械的接続が確実になり、この面で信頼性が高くなる。
【００１３】
本発明の請求項４に係る電気部品用ソケットによる場合、カバーがボディに軸支されて開閉自在にされた構成となっているので、カバーのボディに対する取り付け／取り外しを簡単に行うことができ、これに伴って、電気部品の接続作業を一層円滑に行うことが可能になる。
【００１４】
本発明の請求項５に係る電気部品用ソケットによる場合、カバーが閉直前位置において第１、第２コンタクトの弾性反発力により開方向に自ら回転するのを抑止する程度の力でボディに係合可能である構成となっているので、カバーが不意に回転するのを押える必要がなくなり、この点で電気部品の接続作業を一層円滑に行うことが可能になる。
【００１５】
本発明の請求項６に係る電気部品用ソケットによる場合、第１コンタクトの端部がボディ又はカバーから外に外部端子として出ている構成となっているので、電気部品の接続作業を一層円滑に行うことが可能になる。
【００１６】
本発明の請求項７に係る電気部品用ソケットによる場合、第２コンタクトに第１コンタクトの基端部に対し接触して弾性的に付勢する接触部が設けられた構成となっているので、電気部品のリード端子と第１、第２コンタクトとの間の電気的接続が確実になり、この面で信頼性が高くなる。
【発明を実施するための最良の形態】
【００１７】
以下、本発明に係る電気部品用ソケットの実施の形態を図面を参照して説明する。図１は同電気部品用ソケットの斜視図、図２は同電気部品用ソケットの部分的正面図及び部分的底面図、図３は開閉時のボディの第１コンタクトとカバーの第２コンタクトとの位置関係等を示す側方視模式図である。
【００１８】
ここに掲げる電気部品用ソケットは２つの陰極蛍光ランプＡ１、Ａ２を独立して接続可能なものであって、陰極蛍光ランプＡ１、Ａ２の端部が挿入可能な溝１１ａ、１１ｂが各々形成されたボディ１０と、ボディ１０に対して溝１１ａ、１１ｂを覆うように取り付け可能なカバー３０ａ，３０ｂと、ボディ１０に設けられており且つ陰極蛍光ランプＡ１、Ａ２のリード端子α１、α２に下方から接触する第１コンタクト２０ａ、２０ｂと、カバー３０ａ，３０ｂに第１コンタクト対向位置に設けられており且つ陰極蛍光ランプＡ１、Ａ２のリード端子α１、α２に上方から当接する当接部材としての第２コンタクト４０ａ，４０ｂとを具備している。
【００１９】
なお、図１においては、カバー３０ａがボディ１０に対して開状態、カバー３０ｂがボディ１０に対して閉状態である状態をそれぞれ示している。
【００２０】
陰極蛍光ランプＡ１、Ａ２をボディ１０に接続可能にする機構については、ボディ１０の表面上の両側位置に対象に配置されている。両機構は左右対称という面で違いがあるものの、その構成については全く同一であるので、陰極蛍光ランプＡ１をボディ１０に接続する機構の詳細を説明することにする。
【００２１】
ボディ１０は略直方体の樹脂成形品であり、ボディ１０の表面上の長手方向の一方側端部（図１中右側端部）には溝１１ａが短手方向に形成されている。
【００２２】
溝１１ａは前側溝部１１１ａと後側溝部１１２ａとを有している（図２（ａ）参照）。溝１１ａの一端（前側溝部１１１ａの前側端）はボディ１０の側面に開口しており、溝１１ａの他端は（後側溝部１１２ａの後側端）は閉じられている。カバー３０ａが閉状態であるときには、後側溝部１１２ａのみがカバー３０ａにより塞がれるようになっている。
【００２３】
前側溝部１１１ａは、陰極蛍光ランプＡ１の端部の径よりやや大きい断面略半円状をなしている。前側溝部１１１ａの開口両端部には陰極蛍光ランプＡ１の端部を保持する片である保持部１５ａ，１５ａが対向して各々設けられている。
【００２４】
後側溝部１１２ａは前部１１２１ａと後部１１２２ａとを有している（図１参照) 。前部１１２１ａは、陰極蛍光ランプＡ１の端部の径よりやや大きい断面略半円状をなしており、前側溝部１１１ａに連通している。後部１１２２ａの中央部には、第１コンタクト２０ａの先端部２３ａに対応した形状及び位置に断面く字状の載置部１６ａが設けられている。
【００２５】
即ち、陰極蛍光ランプＡ１の端部を溝部１１ａに軽く圧入すると、保持部１５ａ，１５ａが若干開いて前側溝部１１１ａ及び後側溝部１１２ａに入り込み、陰極蛍光ランプＡ１が保持部１５ａ，１５ａの間に挟まれて保持される。この状態においては、陰極蛍光ランプＡ１の端部が前側溝部１１１ａ及び後側溝部１１２ａの前部１１２１ａに接し、リード部α１が第１コンタクト２０ａの先端部２３ａを介して後側溝部１１２ａの後部１１２２ａ内の載置部１６ａ上に載置されるようになっている。
【００２６】
ボディ１０の表面上の長手方向の溝１１ａの中央寄りの位置には軸部１２ａ，１２ａが短手方向に並べて設けられている。軸部１２ａはボディ１０の表面上に互いに対向して立設された板状部材１２１ａ，１２１ａと、板状部材１２１ａ，１２１ａの外側面の中央部に設けられた軸１２２ａ，１２２ａとを有する。
【００２７】
ボディ１０の表面上の長手方向の軸部１２ａと溝１１ａとの間には、後述する第１コンタクト２０ａの後端部２２ａを通してボディ１０の裏面に出すための貫通穴１４ａが設けられている（図２（ｂ）参照）。また、ボディ１０の側面上の溝１１ａの外側寄りの位置には、断面視略三角形の引っ掛け片１３ａ、１３ａが短手方向に並べて設けられている（図１参照）。
【００２８】
第１コンタクト２０ａは略Ｌ字状の金属板であって、ボディ１０の表面上に長手方向に向けて装着可能になっている。第１コンタクト２０ａは、ボディ１０に固定される基端部２１ａと、基端部２１ａの後端側に長さ方向に延設され且つ基端部２１ａに対して約９０度に折り曲げられた後端部２２ａと、基端部２１ａの先端側の短手方向における中央部分から長さ方向に延設され且つ先端部分が断面視く字状に折り曲げられた先端部２３ａとを有している（図３参照）。
【００２９】
第１コンタクト２０ａがボディ１０に装着されると、後端部２２ａが貫通穴１４ａに挿入され、その先端部分がボディ１０の裏面から外部端子として外に出るようになっている。また、先端部２３ａがボディ１０の表面の載置部１６ａ上に配置されるようになっている。
【００３０】
カバー３０ａは底面開放箱状体の樹脂成形品であって、ボディ１０の表面上に軸支されて開閉自在にされている。即ち、カバー３０ａの先端側が上向きに向いた開状態から、ボディ１０に密着させて第１コンタクト２０ａを覆い隠す状態の閉状態にかけて回転可能になっている。
【００３１】
カバー３０ａは、第２コンタクト４０ａが固定される基端部３２ａと、ボディ１０の後側溝部１１２ａを覆う先端部３３ａとを有している。
【００３２】
カバー３０ａの基端部３２ａの短手方向の両側面には、ボディ１０に設けられた軸１２２ａ、１２２ａを通して軸支するための案内軸溝３２１ａ，３２１ａ（図１参照）が各々設けられている。カバー３０ａの基端部３２ａの長手方向の端面及び上面には、板状部材１２１ａ，１２１ａが挿脱されるＬ字状のスリット３２２ａ，３２２ａが各々設けられている。
【００３３】
カバー３０ａの基端部３２ａの裏側には、第２コンタクト４０ａが長さ方向に向けて固定されている。カバー３０ａの先端部３３ａの短手方向の側面には、陰極蛍光ランプＡ１の端部の径に対応した略半円状の穴３３１ａ（図１参照）が設けられており、カバー３０ａの先端部３３ａの長さ方向の端面には、ボディ１０に設けられた引っ掛け片１３ａ、１３ａが係合可能な係合穴３３１a 、３３１a が各々設けられている。
【００３４】
第２コンタクト４０ａは略山字状の金属板であって、カバー３０ａの裏側に長手方向に向けて固定されている。第２コンタクト４０ａは、カバー３０ａの基端部３２ａの裏側に固定された基端部４１ａと、基端部４１ａの先端側の短手方向における中央部分から長さ方向に延設され且つ基端部４１ａに対して斜め約３０度下向きに傾斜して配置された先端部４２ａと、基端部４１ａの先端側の短手方向における両端部分から長さ方向に各々延設され且つ先端部４２ａと同じく基端部４１ａに対して斜め約３０度下向きに傾斜して配置された接触部４３ａ、４３ａとを有している。
【００３５】
接触部４３ａの先端部分は断面視く字状に折り曲げられている一方、先端部４２ａの先端部分は断面視コ字状に折り曲げられている（図３参照）。
【００３６】
カバー３０ａが閉状態であるときには、第２コンタクト４０ａは第１コンタクト２０ａに対向配置され、第２コンタクト４０ａの先端部４２ａが第１コンタクト２０ａの先端部２３ａに付勢接触するとともに、第２コンタクト４０ａの接触部４３ａ、４３ａが第１コンタクト２０ａの基端部２１ａに付勢接触するようになっている。
【００３７】
第１、第２コンタクト２０ａ、４０ａが部分的に変形し、このときの弾性反発力によりカバー３０ａが開方向に回転しようとするが、ボディ１０の引っ掛け片１３ａ、１３ａがカバー３０ａの係合穴３３１a 、３３１a に係合していることから、カバー３０ａの閉状態が維持される。
【００３８】
カバー３０ａを閉状態から開方向に若干回転させたときには、ボディ１０の引っ掛け片１３ａ、１３ａがカバー３０ａの係合穴３３１a 、３３１a から抜けた閉直前位置においても、カバー３０ａが不意に開方向に回転しないようになっている。なぜなら、引っ掛け片１３ａ、１３ａの外面が傾斜し、カバー３０ａの先端部３３ａの端面との間に作用する摩擦力が第１、第２コンタクト２０ａ、４０ａの弾性反発力により大きいからである。
【００３９】
即ち、カバー３０ａが閉直前位置において、不意に開方向に回転しないように引っ掛け片１３ａ、１３ａにより第１、第２コンタクト２０ａ、４０ａの弾性反発力により開方向に自ら回転するのを抑止する程度の摩擦力でボディ１０に係合可能になっている。
【００４０】
なお、カバー３０ａを閉直前位置から開方向に若干回転させたときには、第１、第２コンタクト２０ａ、４０ａが殆ど変形せず、第１、第２コンタクト２０ａ、４０ａの弾性反発力が非常に小さくなることから、閉直前位置と同様にカバー３０ａが不意に開方向に回転することはない。
【００４１】
以上のように構成された電気部品用ソケットの使用方法について説明する。まず、陰極蛍光ランプＡ１のリード端子α１を同ソケットに接続する際には、カバー３０ａを手に持って開状態にした状態で、ボディ１０の溝１１ａに陰極蛍光ランプＡ１のリード端子α１を挿入し、リード端子α１が第１コンタクト２０ａの先端部２３ａの上に配置されるようにする。
【００４２】
そしてカバー３０ａを回転させると、ボディ１０の溝１１ａに挿入された陰極蛍光ランプＡ１の端部がカバー３０ａとボディ１０との間に挟まれ、ボディ１０の引っ掛け片１３ａ、１３ａがカバー３０ａの係合穴３３１a 、３３１a に係合し、カバー３０ａがボディ１０に閉状態にされ、この状態が維持される。
【００４３】
この閉状態においては、第１コンタクト２０ａの先端部２３ａ及び第２コンタクト４０ａの先端部４２ａにより陰極蛍光ランプＡ１のリード端子α１が弾性的に挟持される。しかも第２コンタクト４０ａの接触部４３ａ、４３ａが第１コンタクト２０ａの基端部２１ａに付勢接触する。
【００４４】
これで陰極蛍光ランプＡ１の接続作業が完了し、陰極蛍光ランプＡ１のリード端子α１とボディ１０の裏面から外部端子として外に出た第１コンタクト２０ａの後端部２２ａとの間が確実に電気接続される。
【００４５】
これとは反対に、陰極蛍光ランプＡ１のリード端子α１を同ソケットから外す際には、カバー３０ａを手に持って回転させ、ボディ１０の引っ掛け片１３ａ、１３ａをカバー３０ａの係合穴３３１a 、３３１a から脱落させ、カバー３０ａをボディ１０に対し開状態にする。
【００４６】
この状態では、第１コンタクト２０ａの基端部２１ａが第２コンタクト４０ａの接触部４３ａ、４３ａから離れるだけでなく、第１コンタクト２０ａの先端部２３ａ及び第２コンタクト４０ａの先端部４２ａによる陰極蛍光ランプＡ１のリード端子α１の挟持が解除される。よって、陰極蛍光ランプＡ１をボディ１０の溝１１ａから取り外すことが可能になる。
【００４７】
このようにカバー３０ａを開状態にすると、第１コンタクト２０ａが第２コンタクト４０ａから完全に離れることから、陰極蛍光ランプＡ１の取り付け／取り外しを簡単にスムーズに行うことが可能になる。特に、陰極蛍光ランプＡ１の着脱の際にリードα１を破損させるおそれもない。
【００４８】
また、カバー３０ａの閉状態においては、第１コンタクト２０ａの基端先端部２３ａ及び第２コンタクト４０ａの先端部４２ａにより陰極蛍光ランプＡ１のリード端子α１が弾性的に挟持されることから、陰極蛍光ランプＡ１のリード端子α１と第１、第２コンタクト２０ａ，４０ａとの間の機械的接続が確実である。
【００４９】
加えて、第１コンタクト２０ａの基端部２１ａに第２コンタクト４０ａの接触部４３ａ、４３ａが弾性的に接触することから、陰極蛍光ランプＡ１のリード端子α１と第１、２コンタクト２０ａ，４０ａとの間の電気的接続も確実である。仮に第１コンタクト２０ａ、第２コンタクト４０ａの何れかが酸化皮膜等の要因とした接触不良になったとしても、もう片方のコンタクトで導通をとることができ、陰極蛍光ランプＡ１のリード端子α１と外部端子（第１コンタクト２０ａの後端部２２ａ）との間は確実に電気接続される。
【００５０】
さらにカバー３０ａがボディ１０に開閉自在にされている点、第１コンタクト２０の後端部２２ａがボディ１０から外に外部端子として出ている点、カバー３０ａが閉直前位置及び開状態位置において、第１、第２コンタクト２０ａ、４０ａの弾性反発力により不意に回転するのを押える必要がない点も含めると、陰極蛍光ランプＡ１の取り付け／取り外しが従来に比べて格段に簡単になり、陰極蛍光ランプＡ１の接続作業を安全・確実・円滑に行うことが可能になる。
【００５１】
上記した使用方法及び効果については、陰極蛍光ランプＡ２を同ソケットに接続する場合についても全く同様である。
【００５２】
なお、本発明に係る電気部品用ソケットは陰極蛍光ランプだけの適用に止まらず、リード端子を有する電気部品であれば同様に適用可能である。
【００５３】
ボディに関しては、少なくとも電気部品のリード端子が挿入可能な溝が形成されている限り、その形状等が問われず、電気部品に対する配置関係や電気部品の数等についても適宜設計変更すれば良い。
【００５４】
第１コンタクトに関しては、ボディに設けられており且つ電気部品のリード端子に下方から接触する構成である限り、形状、固定箇所、外部端子の有無、弾性の有無等が問われることはない。また、ボディではなくカバーに設けるようにし、電気部品のリード端子を上方から接触する形態をとってもかまわない。
【００５５】
第２コンタクトに関しては、カバーに設けられており且つ電気部品のリード端子に上方から接触する構成である限り、形状、固定箇所、弾性の有無等が問われることはない。第１コンタクトと同様に、カバーではなくボディに設けるようにし、電気部品のリード端子を下方から接触する形態をとってもかまわない。
【００５６】
このような第２コンタクトを使用する代わりに、カバーの第１コンタクト対向位置に設けられており且つ電気部品のリード端子に上方から当接する当接部材を使用するようにしても良い。当接部材の例としては、カバーの先端部に設けた突起等がある。この場合についても、カバーではなくボディに設けるようにし、電気部品のリード端子を下方から当接する形態をとってもかまわない。
【００５７】
カバーに関しては、ボディに対して溝を覆うように取り付け可能である限り、その形状、取り付け方法等が問われることはなく、スライド形式でボディに移動自在に設けられる形態であっても良い。また、ボディから完全に取り外し可能な着脱方式であってもかまわない。
【図面の簡単な説明】
【００５８】
【図１】本発明に係る電気部品用ソケットの実施形態を説明するための図であって、電気部品用ソケットの斜視図である。
【図２】（ａ）は同電気部品用ソケットの部分的正面図、（ｂ）は同電気部品用ソケットの部分的底面図である。
【図３】開閉時のボディの第１コンタクトとカバーの第２コンタクトとの位置関係等を示す側方視模式図である。
【符号の説明】
【００５９】
以下、本発明に係る電気部品用ソケットの実施の形態を図面を参照して説明する。図１は同電気部品用ソケットの斜視図、図２は同電気部品用ソケットの部分的正面図及び部分的底面図、図３は開閉時のボディの第１コンタクトとカバーの第２コンタクトとの位置関係等を示す側方視模式図である。
【００６０】
Ａ１  Ａ２  陰極蛍光ランプ
α１  α２  リード端子
１０  ボディ
１１ａ，１１ｂ  溝
２０ａ，２０ｂ  第１コンタクト
３０ａ，３０ｂ  カバー
４０ａ，４０ｂ  第２コンタクト（当接部材）
【図１】
2007305305.tif 000003
【図２】
2007305305.tif 000004
【図３】
2007305305.tif 000005